(57)【要約】【課題】断片織機の捨耳カッター装置において、織機回転数、緯糸密度、緯糸種（糸太さ、材質）の少なくとも１つに応じて、捨耳カッターの切断周期を制御することにより、捨耳カッターに無駄の少ない適切な切断動作を行う。【解決手段】緯糸７の先端を切るために、織布４の反給糸側に設けられ、織機２の主軸から独立駆動される捨耳カッター５を有する捨耳カッター装置１において、捨耳カッター５の切断周期を織機回転数、緯糸密度および緯糸種の少なくとも１つに応じて変更可能に制御する。また、捨耳カッター５の切断周期を織機回転数、緯糸密度および緯糸種の少なくとも１つの製織条件に応じて制御装置２０に複数設定、記憶させておき、製織条件に応じて、制御装置２０に記憶させた捨耳カッター５の切断周期から当該製織条件に適切な捨耳カッター５の切断周期を選択して読み出し、読み出した切断周期により捨耳カッター５を動作させる。【選択図】      図２
2004244764.tif 000002
【特許請求の範囲】
【請求項１】
緯糸（７）の先端を切るために、織布（４）の反給糸側に設けられ、織機（２）の主軸から独立駆動される捨耳カッター（５）を有する捨耳カッター装置（１）において、
捨耳カッター（５）の切断周期を織機回転数、緯糸密度および緯糸種の少なくとも１つに応じて変更可能に制御することを特徴とする断片織機の捨耳カッター駆動方法。
【請求項２】
捨耳カッター（５）の切断周期を、織機回転数、緯糸密度および緯糸種の少なくとも１つの製織条件に応じて制御装置（２０）に複数設定、記憶させておき、製織条件に応じて、前記制御装置（２０）に記憶させた捨耳カッター（５）の切断周期から当該製織条件に適切な捨耳カッター（５）の切断周期を選択して読み出し、読み出した切断周期により捨耳カッター（５）を動作させることを特徴とする請求項１記載の断片織機の捨耳カッター駆動方法。
【請求項３】
織機（２）の出力する織機回転数信号、緯糸密度信号、緯糸選択信号に応じて、前記制御装置（２０）に記憶させた捨耳カッター（５）の切断周期から適切な捨耳カッター（５）の切断周期を選択して読み出し、製織中に捨耳カッター（５）の切断周期を自動的に変更して動作させることを特徴とする請求項１または２記載の断片織機の捨耳カッター駆動方法。
【請求項４】
捨耳カッター（５）の切断周期を１ピック当たりの切断回数として設定することを特徴とする請求項１、２または３記載の断片織機の捨耳カッター駆動方法。
【請求項５】
織布（４）の反給糸側に設けられた捨耳カッター（５）と、前記捨耳カッター（５）を主軸から独立して駆動するアクチュエーターと、前記アクチュエーターを制御する制御装置（２０）とからなり、前記制御装置（２０）には捨耳カッター（５）の切断周期が織機回転数、緯糸密度および緯糸種の少なくとも１つの製織条件に応じて複数設定、記憶されており、前記制御装置（２０）は前記製織条件に応じて読み出した切断周期に基づいてアクチュエータを動作させることを特徴とする断片織機の捨耳カッター装置（１）。
【請求項６】
前記制御装置（２０）は、織機（２）の出力する織機回転数信号、緯糸密度信号、緯糸選択信号に応じて読み出した前記切断周期に自動的に変更してアクチュエータを動作させることを特徴とする請求項５記載の断片織機の捨耳カッター装置（１）。
【発明の詳細な説明】
【０００１】
【発明が属する技術分野】
本発明は、断片織機において、捨耳カッターの切断周期を織機回転数、緯糸密度および緯糸種の少なくとも１つの製織条件に応じて変更可能に制御する捨耳カッター駆動方法に関する。
【０００２】
【従来の技術】
特開昭５５−９０６５０号公報は、断片織機の緯糸切断装置（捨耳カッター装置）を開示している。緯糸切断装置のカッターは、織機の主軸によって変速機を介して駆動され、カッターの切断周期は、緯糸種類、緯糸密度等の製織条件に応じて前記変速機のギヤ比を変更することによって設定される。上記の技術では、捨耳カッターの切断動作を織機が数ピック回転するごとに１回行うことで、１ピックごとに１回切断動作を行う方式と比べて捨耳カッターの刃の磨耗を抑え、捨耳カッターの長寿命化を図っている。
【０００３】
【発明が解決しようとする課題】
しかしながら、上記の技術では、製織条件の異なる織物を製織するたびにカッターの切断周期の変更を変速機のギヤを組み換えることで行わなければならず、不便である。また、カッターの切断周期の設定が不適切であると、緯糸密度が高い織物では、必要以上に捨耳カッターが切断動作して、電力を無駄に消費したり捨耳カッターの寿命をいたずらに短くし、また逆に緯糸密度が低い織物では、織物が捨耳カッターを通過するときの速度が速いため、切断回数が足りず、捨耳部分が残ってしまう場合がある。
【０００４】
さらに、上記技術では、カッターの切断周期の変更を織機の運転中に行うことができず、同一織物中に太さの異なる緯糸を使用する場合（多色緯入れ）や、同一織物中に緯糸密度を変化させる場合には、緯糸種類、緯糸密度の変化に対応できず、太い捨耳の箇所や、緯糸密度が低い箇所（繊物が捨耳カッターを通過する速度が速い）で切断しきれずに、捨耳部分が残ってしまう箇所がある。
【０００５】
したがって、本発明の目的は、断片織機の捨耳カッター装置において、織機回転数、緯糸密度、緯糸種（糸太さ、材質）の少なくとも１つに応じて変更可能とし、捨耳カッターの切断周期を適切に制御することにより、捨耳カッターに無駄の少ない適切な切断動作を行うことである。
【０００６】
【課題を解決するための手段】
上記目的のもとに、本発明に係る断片織機の捨耳カッター駆動方法は、緯糸の先端を切るために、織布の反給糸側に設けられ、織機の主軸から独立駆動される捨耳カッターを有する捨耳カッター装置において、捨耳カッターの切断周期を織機回転数、緯糸密度および緯糸種の少なくとも１つに応じて変更可能に制御している。
【０００７】
また、本発明は、上記の断片織機の捨耳カッター駆動方法において、捨耳カッターの切断周期を織機回転数、緯糸密度および緯糸種の少なくとも１つに応じて数段階ずつ制御装置に設定、記憶させておき、製織条件に応じて、前記制御装置に記憶させた捨耳カッターの切断周期から当該製織条件に適切な捨耳カッターの切断周期を選択して読み出し、読み出した切断周期により捨耳カッターを動作させている。
【０００８】
さらに、本発明は、上記の断片織機の捨耳カッター駆動方法において、織機の出力する織機回転数信号、緯糸密度信号、緯糸選択信号に応じて、前記制御装置に記憶させた捨耳カッターの切断周期から適切な捨耳カッターの切断周期を選択して読み出し、製織中に捨耳カッターの切断周期を自動的に変更して動作させるか、または捨耳カッターの切断周期を１ピック当たりの切断回数として設定している。
【０００９】
【発明の実施の形態】
図１は、本発明に係る断片織機の捨耳カッター装置１を示している。捨耳カッター装置１は、緯入れされた緯糸７の先端を筬打ち後に切るために、切断領域で経糸６の方向に延在する捨耳カッター５を有している。捨耳カッター５は、織布４の反給糸側（緯入れされた緯糸７の到達側）で、織り前８に対して緯糸数本分前方で後方に向けて設置されており、織機２の主軸（クランク軸）とは独立したアクチュエータとしての駆動モータ３によって駆動され、一度に複数の緯糸７を切断できる。
【００１０】
緯糸７は、メインノズル１７により経糸６の開口および緯糸７の到達側織り端になるキャッチコード１８の開口中に緯入れされた後、図示しない筬によって織り前８に筬打ちされ、織布４となる。キャッチコード１８は、緯糸７の到達側織り端にあって、開口内で緯入れされた緯糸７を受入れた後、ねじりられて閉じ、緯入れ・筬打ちされた緯糸７の到達側先端をねじり状態の部分で保持する。
【００１１】
キャッチコード１８は、織布４とともに矢印方向（前方）に進行し、緯糸４の到達側先端を捨耳カッター装置１の捨耳カッター５の切断領域に導く。捨耳カッター５は、駆動モータ３によって所定の切断周期で駆動され、切断矢印方向（前方）に進行する緯糸７の到達側先端を順次に切断していく。これにより緯糸７の到達側先端は、織布４の端部から分離し、キャッチコード１８の移動により屑箱などに廃棄される。なお、駆動モータ３は、制御装置２０によって、後に詳述するように、織機回転数、緯糸密度および緯糸種の少なくとも１つに応じて捨耳カッター５の切断周期を変更可能に制御される。
【００１２】
図２および図３は、捨耳カッター装置１の捨耳カッター５の具体例を示している。この例での捨耳カッター５は、固定カッター９と可動カッター１０とからなる挟み式であり、取付用のブラケット１１、駆動モータ３、軸１３、連結棒１４から構成されている。取付ブラケット１１は、ボルト１１ａにより織機２の反給糸側で織機フレームなどに取り付けられている。
【００１３】
固定カッター９は、刃先を垂直上向きしてブラケット１１に取り付けられている。固定カッター９に対向する可動カッター１０は、ピン１５により、固定カッター９に回動可能に取り付けられている。なお、可動カッター１０には、ピン１５を挟んで刃先の反対側にレバー１６が設けられている。
【００１４】
また、ブラケット１１には減速機付きの駆動モータ３が取り付けられており、そのモータ軸１２には、連結軸１３が回り止め状態で取り付けられている。連結軸１３には、軸芯からずれた位置でボルトによる偏心軸２２がモータ軸１２と平行に固定されており、この偏心軸２２に連結棒１４の一端がベアリングなどによって回転自在に連結され、さらにレバー１６の連結ピン２３に連結棒１４の他端がベアリングなどにより回転自在に連結されている。このようにして、ブラケット１１、モータ軸１２、連結軸１３、偏心軸２２、連結棒１４、連結ピン２３、ピン１５、レバー１６は、てこクランク機構を構成している。モータ軸１２が１回転すると、捨耳カッター５は、１回の切断動作をする。
【００１５】
前記のように、駆動モータ３は、制御装置２０によって、織機回転数、緯糸密度および緯糸種の少なくとも１つに応じて捨耳カッター５の切断周期を変更可能に制御される。この切断周期の変更制御のために、制御装置２０には、製織条件として織機回転数、緯糸密度および緯糸種の少なくとも１つに対応した捨耳カッター５の切断周期（モータ回転数）が数段階ずつ設定され、制御装置２０の記憶領域に記憶されているか、または織機の起動後の製織中に、織機から出力される織機回転数信号、緯糸密度信号、緯糸選択信号が入力される。詳細には、織機回転数信号は、図示しない織機主軸モータの駆動装置へ出力される織機回転数の指令信号である。織機密度信号は、図示しない巻取りモータ、送出モータの制御装置へ出力される緯糸密度の指令信号である。緯糸選択信号は、多色緯入れ織機での図示しない多色緯入れ制御装置へ出力される緯入れ装置の選択信号である。また、これらの信号はピック数に対応させて定められている。
【００１６】
なお、作業者は製織前に設定器２１により製織条件、捨耳カッター５の切断周期（モータ回転数）を入力し、制御装置２０の記憶領域に記憶させる。また、織機回転数信号は織機主軸モータの回転数を検出した検出信号であってもよい。
【００１７】
実際の制御の際に、作業者は、制御装置２０に対して、（１）入力されている製織条件として織機回転数、緯糸密度および緯糸種の少なくとも１つに対応した捨耳カッター５の切断周期（モータ回転数）を利用するか、あるいは（２）織機から出力される織機回転数信号、緯糸密度信号、緯糸選択信号を利用して捨耳カッター５の切断周期（モータ回転数）を決定するか、または（３）上記の（１）と（２）とを組み合わせて利用するかを選択する。
【００１８】
（１）入力されている製織条件として織機回転数、緯糸密度および緯糸種の少なくとも１つに対応した捨耳カッター５の切断周期（モータ回転数）を利用する態様が選択されているとき、制御装置２０は、入力されている製織条件として織機回転数、緯糸密度および緯糸種の少なくとも１つに対応じて、捨耳カッター５の切断周期（モータ回転数）を変更し、変更後の切断周期で駆動モータ３の回転数を制御する。
【００１９】
（２）織機から出力される織機回転数信号、緯糸密度信号、緯糸選択信号を利用して捨耳カッター５の切断周期（モータ回転数）を決定する態様が選択されているとき、制御装置２０は、入力されている織機回転数信号、緯糸密度信号、緯糸選択信号の少なくとも１つに対応じて、捨耳カッター５の切断周期（モータ回転数）を変更し、変更後の切断周期で駆動モータ３の回転数を制御する。
【００２０】
（３）上記の（１）と（２）とを組み合わせて利用する態様が選択されているとき、制御装置２０は、織機の運転状況に応じて、入力されている製織条件として織機回転数、緯糸密度および緯糸種の少なくとも１つに対応じて、または入力されている織機回転数信号、緯糸密度信号、緯糸選択信号の少なくとも１つに対応じて、捨耳カッター５の切断周期（モータ回転数）を変更し、変更後の切断周期で駆動モータ３の回転数を制御する。
【００２１】
表１は、織機回転数Ｎ、緯糸密度Ｄ、緯糸種Ｙに対する捨耳カッター５の切断周期Ｔの設定例を示している。この表で、織機回転数Ｎ１、Ｎ２、緯糸密度Ｄ１、Ｄ２、緯糸種Ｙ１、Ｙ２に対する捨耳カッター５の切断周期Ｔ１〜Ｔ６は、それぞれの製織条件において、経験上求められた最適な捨耳カッター５の切断周期であり、あらかじめ制御装置２０に記憶させてある。
【００２２】
【表１】
2004244764.tif 000003
【００２３】
例えば、表１（ｂ）において、製織する織物の緯糸密度ＤがＤ１の場合、作業者は、製織前に設定器２１によりその旨を入力する。制御装置２０は、緯糸密度Ｄ１に対応した捨耳カッター５の切断周期Ｔ３を選択し、捨耳カッター装置１を切断周期Ｔ３にて動作させる。
【００２４】
また、図示しない緯糸密度変更制御装置により、製織する織物の緯糸密度Ｄを製織中に積極的に変化させる場合には、捨耳カッター５の切断周期Ｔを製織中に自動的に変更するように制御装置２０を構成してもよい。例えば、織機２から出力される緯糸密度信号がＤ１からＤ２に変化した場合に、制御装置２０は、自動的に捨耳カッター５の切断周期ＴをＴ３からＴ４に変更する。また、織機回転数、緯糸種を積極的に変化させる場合でも同様の構成、動作である。
【００２５】
表２は、織機回転数Ｎ、緯糸密度Ｄ、緯糸種Ｙを組み合わせた製織条件に対する捨耳カッター５の切断周期Ｔの設定例を示している。この表で、捨耳カッター５の切断周期Ｔ１〜Ｔ８は、それぞれの製織条件において、経験上求められた最適な捨耳カッター５の切断周期であり、あらかじめ制御装置２０に入力され、記憶させてある。
【００２６】
【表２】
2004244764.tif 000004
【００２７】
この例で作業者は、製織前に、製織する織物に応じて織機回転数Ｎ、緯糸密度Ｄ、緯糸種Ｙのそれぞれのパラメータを設定器２１により入力する。制御装置２０は、入力されたパラメータに対応した捨耳カッター５の切断周期Ｔを選択し、捨耳カッター装置１を動作させる。例えば、表２の例において、作業者が織機回転数Ｎ１、緯糸密度Ｄ１、緯糸種Ｙ１を入力または選択すると、制御装置２０は、捨耳カッター５の切断周期をＴ１に設定し、捨耳カッター装置１を切断周期Ｔ１にて動作させる。
【００２８】
なお、製織中に製織条件が変化する場合には、織機２から出力される織機回転数信号、緯糸密度信号、緯糸選択信号の変化に応じて捨耳カッター５の切断周期Ｔを自動的に選択し、捨耳カッター装置１を動作させるように制御装置２０を構成してもよい。
【００２９】
表３は、織機回転数Ｎ、緯糸密度Ｄ、緯糸種Ｙを組み合わせた製織条件に対する捨耳カッター５の切断周期Ｔの設定例を示している。この例では、２種類の織機回転数Ｎ１、Ｎ２に対して基本となる捨耳カッター５の切断周期Ｔ１、Ｔ２をあらかじめ制御装置２０に記憶させてある。この切断周期Ｔ１、Ｔ２に緯糸密度Ｄ、緯糸種Ｙの種類ごとに設定されている比率を乗じることで捨耳カッター５の切断周期Ｔを算出する。例えば、織機回転数Ｎ１、緯糸密度Ｄ１、緯糸種Ｙ１の製織条件で製織する場合、捨耳カッター５の切断周期Ｔは、Ｔ１×ｄ１×ｙ１となる。
【００３０】
【表３】
2004244764.tif 000005
【００３１】
これまでの実施例では織機回転数信号、緯糸密度信号、緯糸選択信号に応じて捨耳カッター５の切断周期を変更していたが、ピック数に応じて捨耳カッター５の切断周期を変更してもよい。また、このピック数は、織機回転数、緯糸密度、緯糸種の製織条件に一義的に対応しているので、図８のピックカウント信号は、織機回転数、緯糸密度、緯糸種の製織条件を示す信号である。また図示しない織機制御装置はピックのカウント信号を入力しながら、ピック数に応じてこれらの信号を出力する。
【００３２】
表４は、ピック数、緯糸密度Ｄ、緯糸種Ｙを組み合わせた製織条件に対する捨耳カッター５の切断周期Ｔの設定例を示している。制御装置２０には、表４のように、ピック数に応じた緯糸密度Ｄ、緯糸種Ｙ、捨耳カッター５の切断周期Ｔをあらかじめ入力しておく。製織中、制御装置２０は、ピック数をカウントしており、カウント値（ピック数）が設定したピック数に到達したら、カウント値（ピック数）に対応する緯糸密度Ｄ、緯糸種Ｙ、捨耳カッター５の切断周期Ｔを呼び出し、捨耳カッター装置１の切断周期を切り替える。また、この実施例では１０００ピックを１周期としており、ピック数が１０００ピックカウントするとカウントが０に戻るようになっている。
【００３３】
【表４】
2004244764.tif 000006
【００３４】
つぎに、図４は、織機主軸が６００ｒｐｍ（周期１００ｍｓ）で回転し、捨耳カッター５が切断周期８０ｍｓで切断動作を行う場合において、主軸の回転角度に対する筬の揺動位置および駆動モータ３の駆動信号の変化を示すグラフである。この例で、筬は、主軸１回転ごとに１回筬打ちするのに対し、捨耳カッター装置１は、主軸の回転とは無関係に８０ｍｓに１回切断動作を行う。このグラフに示す動作は、捨耳カッター５の動作回数を多く要求される製織条件、例えば緯糸密度が低い（織物の移動速度が速い）、または緯糸が太い場合に用いられる。
【００３５】
図５は、織機主軸が６００ｒｐｍ（周期１００ｍｓ）で回転し、捨耳カッター５が切断周期２００ｍｓで切断動作を行う場合において、主軸の回転角度に対する筬の揺動位置および駆動モータ３の駆動信号の変化を示すグラフである。この例で、筬は、主軸１回転ごとに１回筬打ちするのに対し、捨耳カッター装置１は、主軸の回転とは無関係に２００ｍｓに１回転切断動作を行う。なお、捨耳カッター５の切断周期２００ｍｓは、主軸の回転周期１００ｍｓの整数倍（２倍）なので、結果的に捨耳カッター装置１は、筬打ち２回ごとに１回動作している。このグラフに示すような動作は、捨耳カッター５の動作回数が少なくてもよい製織条件例えば緯糸密度が高い（織物の移動速度が遅い）、または緯糸が細い場合に用いられる。
【００３６】
図６は、織機主軸が６００ｒｐｍ（周期１００ｍｓ）で回転し、捨耳カッター５が切断周期３００ｍｓで切断動作を行う場合において、主軸の回転角度に対する筬の揺動位置および駆動モータ３の駆動信号の変化を示すグラフである。この例で、筬は、主軸１回転ごとに１回筬打ちするのに対し、捨耳カッター装置１は、主軸の回転とは無関係に３００ｍｓに１回転切断動作を行う。なお、捨耳カッター５の切断周期３００ｍｓは、主軸の回転周期１００ｍｓの整数倍（３倍）なので、結果的に捨耳カッター装置１は、筬打ち３回ごとに１回動作している。このグラフに示すような動作は、捨耳カッター５の動作回数が少なくてもよい製織条件例えば緯糸密度が高い（織物の移動速度が遅い）、または緯糸が細い場合に用いられる。
【００３７】
図７は、織機主軸が６００ｒｐｍ（周期１００ｍｓ）で回転し、捨耳カッター５の切断周期を変化させて切断動作を行う場合において、主軸の回転角度に対する筬の揺動位置および駆動モータ３の駆動信号の変化を示すグラフである。この例で、筬は、主軸１回転ごとに１回筬打ちする。緯糸密度がＤ１の場合、捨耳カッター装置１は、主軸の回転とは無関係に８０ｍｓに１回転切断動作を行う。緯糸密度がＤ２の場合、捨耳カッター装置１は、主軸の回転とは無関係に２００ｍｓに１回転切断動作を行う。このグラフに示すような動作は、１つの織布で製織条件が変化する場合、この例では緯糸密度がＤ１とＤ２（Ｄ１＜Ｄ２）とに変化する場合に用いられる。
【００３８】
以上の例では、捨耳カッター５の動作回数を、周期〔ｍｓ〕により設定しているが、以下のように、捨耳カッター５の動作回数を１ピック当たりの切断回数〔切断回数／ピック〕により設定してもよい。
【００３９】
図８は、捨耳カッター装置１の捨耳カッター５の動作頻度を１ピック当たりの切断回数〔切断回数／ピック〕で設定する場合を示している。制御装置２０は、織機２の主軸からピックのカウント信号（主軸回転回数）を受信しており、捨耳カッター装置１の駆動モータ３を織機２の主軸に同期させて駆動している。
【００４０】
図９は、織機主軸が６００ｒｐｍ（周期１００ｍｓ）で回転し、捨耳カッター装置１は、１ピックに２回切断動作を行う場合において、主軸の回転角度に対する筬の揺動位置および駆動モータ３の駆動信号の変化を示すグラフである。この例では、捨耳カッター５の１ピック当たりの切断回数は、２〔切断回数／ピック〕と設定されている。なお、捨耳カッター５の１ピックあたりの切断回数は、製織条件によって適宜変更し、場合によっては０．５〔切断回数／ピック〕と小数で設定してもよい（この場合、２ピックに１回切断となる）。図９では、主軸の回転角度が０°、１８０°のとき切断動作が行われているが、１ピック内に２回切断していれば、ピック間での切断タイミングは問わず、例えば主軸の回転角度１０°、１９０°で切断動作を行ってもよい。このような動作は、捨耳カッター５の動作回数を多く要求される製織条件、例えば糸密度が低い（織物の移動速度が速い）、または緯糸が太い場合に用いられる。また、この実施例では、１ピックあたりの切断回数を設定しているが、１切断動作あたりのピック数を設定する方法でもよい。
【００４１】
【発明の効果】
請求項１によれば、緯糸の先端を切るために、織布の反給糸側に設けられ、織機の主軸から独立駆動される捨耳カッターを有する捨耳カッター装置において、捨耳カッターの切断周期を織機回転数、緯糸密度および緯糸種の少なくとも１つに応じて変更可能に制御するから、必要以上にカッター動作を行う場合は、捨耳カッターの切断周期を長くして、状況に応じて切断回数が無駄に多くならないように制御でき、無駄の少ない適切な切断動作を行うことができる。このため捨耳カッターの長寿命化や捨耳カッター駆動装置の省電力化を実現できる。また、捨耳部分が残る箇所では、捨耳カッターの切断周期を短くして捨耳を切れやすくすることによって、切断ミスを防止することができる。
【００４２】
請求項２および請求項５によれば、捨耳カッターの切断周期を織機回転数、緯糸密度および緯糸種の少なくとも１つに応じて数段階ずつ制御装置に設定、記憶させておき、製織条件に応じて、前記制御装置に記憶させた捨耳カッターの切断周期から当該製織条件に適切な捨耳カッターの切断周期を選択して読み出し、読み出した切断周期により捨耳カッターを動作させるから、捨耳カッターを製織条件に応じた適切な捨耳切断周期で動作させることができ、切断ミスを防止することができる。
【００４３】
請求項３および請求項６によれば、織機の出力する織機回転数信号、緯糸密度信号、緯糸選択信号に応じて、前記制御装置に記憶させた捨耳カッターの切断周期から適切な捨耳カッターの切断周期を選択して読み出し、製織中に捨耳カッターの切断周期を自動的に変更して動作させるから、同一織物でも太さの異なる緯糸を使用する場合（多色緯入れ）や、緯糸密度を変化させる場合でも、緯糸種類、緯糸密度の変化に対応した適切な切断周期で捨耳カッターを動作させることができる。
【００４４】
請求項４によれば、捨耳カッターの切断周期を１ピック当たりの切断回数として設定するから、捨耳カッターの切断動作を織機の主軸に同期させることができる。
【図面の簡単な説明】
【図１】捨耳カッター装置１の概略図である。
【図２】捨耳カッター装置１の捨耳カッター５の平面図である。
【図３】捨耳カッター装置１の捨耳カッター５の側面図である。
【図４】主軸の回転角度に対する筬の揺動位置および駆動モータ３の駆動信号の変化を示すグラフである。
【図５】主軸の回転角度に対する筬の揺動位置および駆動モータ３の駆動信号の変化を示すグラフである。
【図６】主軸の回転角度に対する筬の揺動位置および駆動モータ３の駆動信号の変化を示すグラフである。
【図７】主軸の回転角度に対する筬の揺動位置および駆動モータ３の駆動信号の変化を示すグラフである。
【図８】捨耳カッター装置１の捨耳カッターの動作頻度を１ピック当たりの切断回数〔切断回数／ピック〕で設定する場合の捨耳カッター装置１の概略図である。
【図９】主軸の回転角度に対する筬の揺動位置および駆動モータ３の駆動信号の変化を示すグラフである。
【符号の説明】
１  捨耳カッター装置
２  織機
３  駆動モータ
４  織布
５  捨耳カッター
６  経糸
７  緯糸
８  織り前
９  固定カッター
１０  可動カッター
１１  ブラケット  １１ａ  ボルト
１２  モータ軸
１３  連結軸
１４  連結棒
１５  ピン
１６  レバー
１７  メインノズル
１８  キャッチコード
１９  捨耳
２０  制御装置
２１  設定器
２２  偏心軸
２３  連結ピン
【図１】
2004244764.tif 000007
【図２】
2004244764.tif 000008
【図３】
2004244764.tif 000009
【図４】
2004244764.tif 000010
【図５】
2004244764.tif 000011
【図６】
2004244764.tif 000012
【図７】
2004244764.tif 000013
【図８】
2004244764.tif 000014
【図９】
2004244764.tif 000015